【手続補正書】
【提出日】平成16年12月28日(2004.12.28)
【手続補正１】
【補正対象書類名】明細書
【補正対象項目名】全文
【補正方法】変更
【補正の内容】
【書類名】      明細書
【発明の名称】報知音を発生させる機能を備えた撮像機器及び電子機器並びに報知音発生方法
【特許請求の範囲】
【請求項１】録画再生する操作キー及び操作ダイアルからなる操作手段を備えると共に、操作状態又は機能の状態を報知する報知手段を備えた撮像機器であって、
前記報知手段における報知音は、少なくとも２種類以上の音程信号及び／又はメロディ信号からなる音を発生させることを特徴とする報知音を発生させる機能を備えた撮像機器。
【請求項２】前記報知手段は、音程信号にエンベロープ信号を合成した報知音信号に基づいて報知音を発生させることを特徴とする請求項１に記載の報知音を発生させる機能を備えた撮像機器。
【請求項３】前記報知手段は、機器の操作、機能、用途にそれぞれ適応させた音程信号、メロディ信号及び／又はエンベローブ信号を合成した固有の報知音を発生させるようにしたことを特徴とする請求項１に記載の報知音を発生させる機能を備えた撮像機器。
【請求項４】前記報知手段は、心地良く楽しくなるような音程信号、メロディ信号、エンベローブ信号を適宜組み合わせた固有の報知音を発生させるようにしたことを特徴とする請求項１に記載の報知音を発生させる機能を備えた撮像機器。
【請求項５】前記操作手段における操作キー及び／又は操作ダイアルの操作が上向き方向の時と下向き方向の時に発生する報知音を変化させるようにしたことを特徴とする請求項１に記載の報知音を発生させる機能を備えた撮像機器。
【請求項６】前記報知手段は、録画中には前記報知音を発生させないようにしたことを特徴とする請求項１に記載の報知音を発生させる機能を備えた撮像機器。
【請求項７】前記撮像機器のメニュー画面を開く時とメニュー画面を閉じる時に発生する報知音を変化させるようにしたことを特徴とする請求項１に記載の報知音を発生させる機能を備えた撮像機器。
【請求項８】前記報知手段は、録画の開始時と終了時に発生する報知音を変化させるようにしたことを特徴とする請求項１に記載の報知音を発生させる機能を備えた撮像機器。
【請求項９】ユーザにより操作される操作手段と、
前記操作手段からの出力に応じて所定の制御を行う制御手段と、
前記操作手段からの出力に応じた報知音信号を生成する報知音信号発生手段と、
操作状態又は機能の状態を報知する報知手段とを備えた電子機器において、
前記報知音信号発生手段は、音程信号とエンベローブ信号とを合成して報知音信号を生成するとともに、前記操作手段からの出力に応じて、少なくとも２種類以上の報知音を生成可能であり、
前記報知手段は、前記報知音に基づいて操作状態又は機能の状態を報知することを特徴とする電子機器。
【請求項１０】前記報知手段は、機器の操作、機能、用途にそれぞれ適応させた音程信号、メロディ信号及び/又はエンベローブ信号を合成した固有の報知音を発生させるようにしたことを特徴とする請求項９に記載の電子機器。
【請求項１１】操作手段がユーザーによって操作されることにより、操作状態に応じた出力信号を発生させる操作入力ステップと、
前記操作入力ステップにおいて発生した出力信号に応じて所定の制御を行う制御ステップと、
前記操作入力ステップにおいて発生した出力信号に応じて所定の報知音信号を生成する報知音信号生成ステップと、
前記報知音信号生成ステップにより生成された報知音信号に基づいて、操作状態又は機能の状態を報知する報知ステップとからなり、
前記報知音信号は、音程信号とエンベローブ信号とが合成された信号であり、
前記報知ステップにおいては、前記操作入力ステップにおいて発生した出力信号に応じた報知音が発生されることを特徴とする報知音発生方法。
【発明の詳細な説明】
【０００１】
【発明の属する技術分野】
本発明は、報知音を発生させる機能を備えた撮像機器及び電子機器並びに報知音発生方法に関するものであり、更に詳しくは操作キー等の操作状態や機器の動作状態に対応させたブザー音やメロディからなる固有の報知音を発生させるようにして音で機器の状態を知り且つ操作しやすくするようにした撮像機器及び電子機器並びに報知音発生方法に関する。
【０００２】
【従来の技術】
従来技術におけるビデオカメラ等の撮像機器には、操作キーの操作状態や機器の状態を電子音等のブザー音、即ち、報知音を発生させる機能を備えており、音で操作状態を容易に確認できるようにしたり、或いは機器の状態を報知するようにしている。
【０００３】
図１１及び図１２は、ビデオカメラの操作キーの操作状態や機器の状態により発生する報知音（ブザー音）のイメージを羅列して示したものであり、例えば、（１）電源オンの時は音程（周波数）が４ＫＨｚでフラットなエンベロープが合成された（又はエンベロープを合成されていない）単一調の”ぴ”という音を発生させる。（２）カメラの録画開始の時は電源オン時の音よりも短く単一調の”ぴっ”という音を発生させる。（３）カメラ録画終了であれば、録画開始の音を２度繰り返した”ぴぴっ”という音を発生させる。
【０００４】
このように報知音を発生させる機能を備えた撮像機器は、機器を操作する機能やその用途に適応させた音を発生させたり、機器に発生した異常状態や誤操作の時に特定の音を発生させるようにして、機器を使用するユーザに対し、単に音で報知して機器の操作状態等を知らせるようにしたものである。
【０００５】
【発明が解決しようとする課題】
しかしながら、上記説明した撮像機器から発生する報知音は、ある単一波長且つ音量が一定であるため表現力が乏しく、単波長の音が頻繁に発生する。そのため、使用するユーザーの不快感、例えばうるさく感じたり、しつっこく感じる等につながるため、報知音の使用はある程度限定せざるをえないという問題点がある。
【０００６】
又、年々多機能化がすすむ撮像機器を含む電子機器において単一調なブザー音ではその目的を達成させるのに限界がきているという問題点もある。
【０００７】
従って、報知音を発生させる機能を備えた撮像機器及び電子機器において、機器を操作する機能やその用途に適応させ、且つ操作等が楽しくなるような報知音を発生させることに解決しなければならない課題を有している。
【０００８】
【課題を解決するための手段】
上記課題を解決するために、本発明に係る報知音を発生させる機能を備えた撮像機器は、録画再生する操作キー及び操作ダイアルからなる操作手段を備えると共に、操作状態又は機能の状態を報知する報知手段を備えた撮像機器であって、前記報知手段における報知音は、少なくとも２種類以上の音程及び／又はメロディからなる音を発生させることであり、又、前記報知手段は、音程信号にエンベローブ信号を合成した報知音信号に基づいて報知音を発生させることである。
【０００９】
このような構成からなる報知音を発生させる機能を備えた撮像機器においては、各種の音程やエンベローブを合成してデザインすることで、撮像機器の操作状態や機器の動作状態に適切に対応させた多種類の音で報知することが可能になる。
【００１０】
【発明の実施の形態】
次に、本発明に係る電子機器である報知音を発生させる機能を備えた撮像機器に関する実施の形態について図面を参照して説明する。尚、実施例においては電子機器のうちビデオカメラを対象にして説明し、その内心地良く楽しくなるような音程信号、メロディ信号、エンベロープ信号を適宜組み合わせた固有の報知音は、機器の操作に関して発生する音で説明し、機器の機能、用途で発生する報知音についての説明は省略する。
【００１１】
ビデオカメラ１０は、図１に示すように、被写体を録画再生する操作手段である種々の操作キー及び操作ダイアルから構成されている外部キーブロック部１１と、操作キーの操作状態や機器の用途・動作状態に応じた報知音を生成する報知手段を備えた制御部１２と、種々の音程信号を発生させる音程信号出力部１３と、種々のエンベロープ信号を生成するエンベロープ信号出力部１４と、音程信号とエンベロープ信号を合成増幅した報知音信号を生成する増幅器１５と、報知音信号を出力するスピーカからなる音声出力部１６とから構成されている。尚、録音／再生機構及ビューフアインダー等については省略してある。
【００１２】
外部キーブロック部１１は、録画の開始と終了をさせる録画キー２０と、種々のメニューを開始及び終了させるメニューキー２１と、メニューキー２１で選択されたメニュー画面におけるカーソルを上下に動かす操作ダイアル２２とから構成され、その他の再生ボタン等は省略してある。
【００１３】
制御部１２は、上記説明した外部キーブロック部１１のキー操作に対応したブザー音（メロディ）の音程信号及びエンベローブ信号を合成した固有の報知音を発生させるように制御するものである。この報知音は、１つ１つの音に音程をつけ且つメロディにしたり、更に心地よい音にするために合成するエンベローブ信号を合成させたものであり、音に余韻が残るようにすることもできる。
又、この制御部１２には、ビデオカメラ１０が録画状態の時には報知音を発生させない機能を有している。具体的には、録画キー２０によりビデオカメラ１０が撮像できる録画状態になると、録画信号を音声出力部１６に送り報知音を発生させない構造となっている。
【００１４】
このようにして音程信号やエンベローブ信号を合成すれば、非常に多種の固有の報知音を作成することができる。多種の報知音が作成できると機器の機能毎に別々の固有の報知音を出力し、ビデオカメラ１０の操作に対して意思の伝達がより適切に行うことができるようになる。例えば、故障と誤操作、操作ダイアルを上方向と下方向に回転させた時、録画の開始時と終了時、メニュー画面を開く時と閉じる時とは異なった報知音にすることで音のみで区別することができる。
【００１５】
又、音程信号やエンベローブ信号をうまくデザインすることで使い勝手のよさ、楽しさが向上するうえに、報知音が頻繁に発生してもユーザに不快感を与えないようにすることが可能である。メニューキー、カーソルを動かす操作ダイヤル等にも報知音を出すようにして、ビデオカメラ１０の操作状態をユーザに伝達することができるのである。
【００１６】
報知音を発生させる制御部１２の具体的な動作は、外部キーブロック部１１のキーの操作状態を検出して、録画の開始した時と終了した時、メニューをオープン（ＯＰＥＮ）した時とクローズ（ＣＬＯＳＥ）した時、メニュー画面でカーソルをアップ（ＵＰ）した時とダウン（ＤＯＷＮ）した時等を判断し、これらキー２０、２１、２２の操作状態に対応した特定の音程信号を選択して音程信号出力部１３に送る。同時に特定のエンベロープ信号を選択してエンベロープ信号出力部１４に送る。
【００１７】
図２は、音程信号、エンベロープ信号及び報知音信号を略示的に示したものである。制御部１２で選択された信号に基づいて音程信号出力部１３から特定の音程信号を出力し、エンベロープ信号出力部１４から特定のエンベロープ信号を出力する構造となっている。
そして、これらの特定の音程信号及びエンベロープ信号を増幅器１５に入力して合成増幅して固有の報知音信号を発生させることができる。
【００１８】
種々の音程信号及び種々のエンベロープ信号からなる報知音信号の構造は予め決められており、
ｓｔｒｕｃｔ音符 ｛オクターブ；音程；長さ；エンベロープ｝
という構造で形成されている。
この構造に基づいて、操作キー２０、２１、２２の操作状態や機器の異常等の際に発生させる固有の報知音信号が設定されている。下記の（１）〜（６）は操作キー２０、２１、２２に対応させた報知音信号の具体例である。
【００１９】
（１）録音開始メロディ[]＝{
{１，ラ    ，Ｌ８，エンベロープ１}
{ＥＮＤ．．．}
}
（２）録音終了メロディ[]＝{
｛１，ラ ，   Ｌ８，エンベロープ２｝，
｛１，ファ＃，Ｌ８，エンベロープ３｝，
｛ＥＮＤ．．．｝
｝
（３）メニューＯＰＥＮメロディ[]＝{
{０，ラ＃，   Ｌ８，エンベロープ２}
｛１，ラ ，    Ｌ８，エンベロープ２｝，
｛１，ファ＃， Ｌ８，エンベロープ２｝，
｛１，レ，     Ｌ８，エンベロープ３｝，
｛ＥＮＤ．．．｝
｝
（４）メニューＣＬＯＳＥメロディ[]＝{
{２，レ，    Ｌ８，エンベロープ２}
｛２，ラ，    Ｌ８，エンベロープ２｝，
｛１，ファ，  Ｌ８，エンベロープ２｝，
｛０，ラ＃，  Ｌ８，エンベロープ３｝，
｛ＥＮＤ．．．｝
｝
（５）カーソルＵＰメロディ[]＝{
{０，ミ，    Ｌ１６，エンベロープ４}
｛ＥＮＤ．．．｝
｝
（６）カーソルＤＯＷＮメロディ[]＝{
{０，ド，    Ｌ１６，エンベロープ４}
｛ＥＮＤ．．．｝
｝
【００２０】
これら（１）〜（６）の報知音信号を構成するメロディは下記に示すメロディテーブルから選択するようになっており、操作キー２０、２１、２２に対応したテーブルを選択できるようになっている。
【００２１】
メロディテーブル［］＝｛
録音開始メロディ，
録音終了メロディ，
メニューＯＰＥＮメロディ，
メニューＣＬＯＳＥメロディ，
カーソルＵＰメロディ，
カーソルＤＯＷＮメロディ
。
。
｝
【００２２】
又、上記（１）〜（６）に示した報知音信号を構成するエンベロープは、４種類のエンベロープ信号（エンベロープ１〜４）で構成されており、下記に示すエンベロープテーブルとして定義されている。
【００２３】
エンベロープテーブル[]＝{
エンベロープ１，
エンベロープ２，
エンベロープ３，
エンベロープ４，
。
。
}
【００２４】
これらのエンベロープのパターンは、種々のものが考えられる。図３は、エンベロープ信号の２種類のパターンを示したものである。第１のエンベロープパターン（エンベロープ１）は、図３（Ａ）に示すように、指定された音程をつないだ傾斜線２５を直線状にしたものである。第２のエンベロープパターン（エンベロープ２）は、図３（Ｂ）に示すように、指定された音程をつないだ傾斜線２６を曲線状になるようにしたものである。尚、エンベロープのパターンはこれらに限定されない。
【００２５】
又、上記（１）〜（６）に示した報知音信号を構成するド、レ、ミ、・・・の各音階の理論的な周波数ＦＯの設定は、
ＦＯ＝４４０×２(T+3)/12×２Oct［Ｈｚ］
Ｏｃｔ：オクターブ
Ｔ：音階の順番
で計算することができる。（  Ｏｃｔ：オクターブ）
【００２６】
Ｏｃｔ＝０の”ド”は、図４に示すように、オクターブごとに繰り返される音階のうち、中心的な位置に存在する”ド”であり、下記に示す表１においてＴ＝０であり、その理論的な周波数は５２３Ｈｚとなる。従って、ド〜シの各音階の理論的な周波数は下記表１のようになる。
【００２７】
例えば、２オクターブ上の”ソ”の音階の理論的な周波数は、
Ｆ＝４４０×２(7+3)/12×２2
＝３１３６[Ｈｚ]
となる。
【００２８】
【表１】
1999196300.tif 000001
【００２９】
図５及び図６は上記（１）〜（６）に示した報知音信号の構成から実際に発生する、心地良く楽しくなるような音程信号、メロディ信号、エンベロープ信号を適宜組み合わせた固有の報知音のイメージを表にして示したものである。
例えば、上記（１）の録音開始の際には、一瞬高い”ぴ”というブザー音（メロディ）になる。上記（２）の録画終了の際には上下に音程が変化する”ぴぽん”というメロディになる。上記（３）のメニューオープンの時には音程が肩上がりに上昇した”ぽろろろ”というメロディになる。上記（４）のメニュークローズの時には音程が肩下がりに下降した”ぽろろろ”というメロディになる。上記（５）のカーソルアップの時には、一瞬高い”ぽ”というブザー音（メロディ）になる。上記（６）のカーソルダウンの時には、カーソルアップと同様に一瞬高い”ぽ”というブザー音（メロディ）になる。
【００３０】
このようにしてその操作キー２０、２１、２２等（図１参照）の機能に対応させた単調でない報知音を発生させるようにすれば多機能を有する操作キー２０、２１、２２の操作の使い勝手がよくなるばかりでなく楽しくなり、操作性を向上させることができる。又、この報知音信号は上記（１）〜（６）に示したものに限定されることなく、例えば図５及び図６に示すように、カセットを取り出す時、故障が発生した時、誤操作の時、電源オンの時等にメロディで持って報知するようにすれば極めて有能な機能を備えた電子機器であるビデオカメラ（撮像機器）となる。
【００３１】
次に、上記の各種の報知音を制御する制御部１２の動作について図７〜図１０に示したフローチャート図に基づいて説明する。
【００３２】
制御部１２におけるイニシャル処理は、図７に示すように、先ず報知するブザー音（メロディ）等の報知音信号をクリアする（ステップＳＴ１）。
【００３３】
次に、外部キーブロック部１１からの入力か、音程信号出力部１３の制御か、エンベロープ信号出力部１４の制御かの判断をする。入力判断の場合には図８に示すキー検出ルーチンへ、音程信号出力部１３の制御の場合には図９に示す音程信号制御ルーチンへ、エンベロープ信号出力部１４の制御の場合には図１０に示すエンベロープ信号制御ルーチンにゆく（ステップＳＴ２〜ＳＴ４）。
【００３４】
図８に示すキー検出ルーチンにおいては、先ず外部キーブロック部１１の状態を検出する（ステップＳＴ５）。操作ダイアル２２が動いてカーソルが移動することを検出すると、そのカーソルが上向きであれば（５）の録音開始メロディを選択する（ステップＳＴ６〜ＳＴ８）。操作ダイアル２２が下向きの場合は（６）のカーソルＤＯＷＮメロディを選択する（ステップＳＴ９）。
【００３５】
メニューキー２１によりオープン又はクローズが押された時に、オープンであれば（３）のメニューＯＰＥＮメロディが選択される（ステップＳＴ１０〜ＳＴ１２）。。メニューキー２１がクローズであれば（４）のメニューＣＬＯＳＥメロディが選択される（ステップＳＴ１３）。
【００３６】
操作ダイヤル２２が廻されておらず、且つメニュー画面が開いていない状態において録画開始／終了キー２０が押された場合には、録画開始のキーであれば（１）の録画開始メロディが選択される（ステップＳＴ１４〜ＳＴ１６）。この録画開始メロディが選択されて報知音として出力された後に、ビデオカメラが録画状態となると報知音の発生が抑止される。録画終了キー２０であれば（２）の録画終了メロディが選択される（ステップＳＴ１７）。この録画終了メロディは報知音の抑止が解除された後に発生する。このようにして（１）〜（６）の報知音信号が選択され、音程信号とエンベロープ信号からなる報知音信号の処理が行われる（ステップＳＴ１８）。
【００３７】
次に、音程信号制御ルーチンについて図９を参照して説明する。図９に示す音程信号制御ルーチンにおいては、（１）〜（６）の報知音信号に従い、音程信号の制御がなされる。先ず報知音信号が選択されていない場合には音程信号を停止し、報知音がない状態にする（ステップＳＴ２０、ＳＴ２１）。
【００３８】
何れかの報知音信号が選択されたか又は既に選択されている場合には、以前の報知音信号と現在の報知音信号が同じものか否かの判断をする（ステップＳＴ２１、ＳＴ２２）。
【００３９】
報知音信号が同じであれば既に選択されている報知音信号と判断して、１つの音の発生時間をカウントするカウンタＬＣｏｕｎｔｅｒがゼロか否かを判断するようにする（ステップＳＴ２２、ＳＴ２３）。
【００４０】
選択された報知音信号が異なっている場合には、新しく選択された報知音信号であると判断して以下のプログラムが実行した後にカウンタＬＣｏｕｎｔｅｒがゼロか否かの判断をする（ステップＳＴ２２、ＳＴ２４、ＳＴ２３）。
【００４１】
ｓｏｕｎｄＰｔｒ＝メロディーテーブル[Ｎｏ−１]
周波数ｆ＝（ｓｏｕｎｄＰｔｒ−＞音程）＊２＾オクターブ
これは、[音程]×２[オクターブ]の意味である。
ＬＣｏｕｎｔｅｒ＝ｓｏｕｎｄＰｔｒ−＞長さ
エンベローブＰｔｒ＝ｓｏｕｎｄＰｔｒ−＞エンベローブ」
【００４２】
カウンターＬＣｏｕｎｔｅｒの値がゼロでない時には１つの音を発生中であると判断して音程信号の出力を行い、カウンターをマイナスカウントする処理が行われる（ＬＣｏｕｎｔｅｒ−−）（ステップＳＴ２３、ＳＴ２５）。カウンターＬＣｏｕｎｔｅｒの値がゼロであれば１つの音が終了したことを示し、ポインタを１つ進める処理（ｓｏｕｎｄＰｔｒ＋＋）が行われる（ステップＳＴ２３、ＳＴ２６）。
【００４３】
ポインタ（ｓｏｕｎｄＰｔｒ）が指し示すデータがＥＮＤコード、即ち、テーブルがそこで終わりの場合には、発生させる音がなくなったことを意味し、音程信号をクリアして音程信号の出力を停止する（ステップＳＴ２７、ＳＴ２８）。
【００４４】
ポインタ（ｓｏｕｎｄＰｔｒ）が指し示すデータがＥＮＤコードでなければ、音程信号の１つの音を発生させるため、次のプログラムが実行される（ステップＳＴ２７、ＳＴ２９）。
【００４５】
周波数ｆ＝（ｓｏｕｎｄＰｔｒ−＞音程）＊２＾オクターブ）
ＬＣｏｕｎｔｅｒ＝ｓｏｕｎｄＰｔｒ−＞長さ
エンベローブＰｔｒ＝ｓｏｕｎｄＰｔｒ−＞エンベローブ
【００４６】
上記プログラムが実行されると所定周波数ｆからなる音程信号が出力される（ステップＳＴ３０）。
【００４７】
次にエンベロープ信号制御ルーチンについて図１０を参照して説明する。
エンベロープ信号制御ルーチンにおいては、先ず図５及び図６に示した（１）〜（６）の何れかの報知音信号が存在しているか否かを判断する（ステップＳＴ４０）。報知音信号がない場合には振幅をゼロにしてエンベロープ信号は発生しない（ステップＳＴ４１）。報知音信号が存在する場合には先にセットしたポインタ（ｓｏｕｎｄＰｔｒ）が指し示すデータがＥＮＤコードでなければ、そのデータに相当する振幅（エンベロープ信号）を発生させる（ステップＳＴ４０、ＳＴ４１、ＳＴ４２、ＳＴ４３、ＳＴ４４）。
【００４８】
このようにして操作キーの操作状態に対応させて音程信号とエンベロープ信号とを発生させ、この両者の信号を合成させて報知音信号を作成すれば、多種類の単調でなく且つ余韻の残った音を発生させることができるのである。
【００４９】
又、報知音にはブザー音の音程信号又はメロディ信号を付けることができるため、表現力が飛躍的に大くなり、多くの異なった種類の音を発生させることができる。これは機器の機能毎に対応させた音を発生させるようにすることが可能となり、更に、撮像機器の状態をユーザーに伝達すること或いは次に行うべき操作をユーザーに喚起するといった事も可能になる。
【００５０】
【発明の効果】
上記説明したように本発明に係る電子機器である報知音を発生させる機能を備えた撮像機器は、操作キーの操作状態に対応させて各種の音程信号やエンベローブ信号による報知音にしたことにより、多機能化する操作キーであってもより使いやすく、且つよりわかりやすい操作を音で表現することができると云う効果がある。
【００５１】
また、音程信号やメロディ信号、エンベローブ信号をデザインすることにより、うるさい音やしつこい音といった不快感の音を避けることが可能になり、使い心地良さ、楽しさの向上を図ることができる。
【図面の簡単な説明】
【図１】
本発明に係るビデオカメラ（撮像機器）の主要な部分をブロック図で表した説明図である。
【図２】
同制御部で生成される報知音信号を示した説明図である。
【図３】
同制御部におけるエンベロープ信号のパターンを示した説明図である。
【図４】
同オクターブごとに繰り返される音階のうち、中心的な位置に存在する”ド”をオクターブＯｃｔ＝０と定義したようすを示したものである。
【図５】
同心地良く楽しくなるような報知音の種類とその音のイメージを表にしたものである。
【図６】
同図５に続いて、心地良く楽しくなるような報知音の種類とその音のイメージを表にしたものである。
【図７】
同制御部におけるメインルーチンの処理形態を示したフローチャート図である。
【図８】
同制御部におけるキー検出ルーチンの処理形態を示したフローチャート図である。
【図９】
同制御部における音程信号制御ルーチンの処理形態を示したフローチャート図である。
【図１０】
同制御部におけるエンベロープ信号制御ルーチンの処理形態を示したフローチャート図である。
【図１１】
従来技術における単一調のブザー音等からなる報知音を表にしたものである。
【図１２】
図１１に続いて、従来技術における単一調のブザー音等からなる報知音を表にしたものである。
【符号の説明】
１０；ビデオカメラ（撮像機器）、１１；外部キーブロック部（操作手段）、１２；制御部（報知手段）、１３；音程信号出力部、１４；エンベロープ信号出力部、１５；増幅器、１６；音声出力部、２０；録画キー、２１；メニューキー、２２；操作ダイアル、２５；傾斜線、２６；傾斜線